(57)【要約】【課題】プラスチックフィルムを基材とする液体用包装袋において、内容物の液体の注ぎ出しが容易であって、内容物の液体を注ぎ出したのちには折りたたみ可能で、かつ折りたたんだ状態を別部材を必要とすることなく維持可能な、液体用包装袋を提供することを課題とする。【解決手段】包装袋は、プラスチックフィルムを基材として、胴部前側積層体、および胴部後ろ側積層体を形成してなり、周縁部の一部には、注ぎ出し口を有しており、注ぎ出し口は、積層体の一部を切り裂いて開口部を形成可能であり、胴部の上辺において、左右の両端部のシール部には、表裏を貫通する穴が設けてあり、包装袋は、液体を注ぎ出したのちに、胴部を一回以上、順次折りたたむことが可能であって、折りたたんで重なった胴部は、その折線の角の部分を、前記穴に挿入して固定可能であることを特徴とする、液体用包装袋である。【選択図】図１
2020128249.tif 000002
【特許請求の範囲】
【請求項１】
液体用包装袋であって、
包装袋は、プラスチックフィルムを基材として、少なくともシーラント層を有する積層体からなり、
包装袋は、胴部を形成する前側積層体と後ろ側積層体とを、シーラント層同士を向かい合わせにして周縁部をシールしてなり
前記周縁部の一部には、注ぎ出し口を有しており、
前記注ぎ出し口は、積層体の一部を切り裂いて開口部を形成可能であり、
前記胴部の上辺において、左右の両端部のシール部には、表裏を貫通する穴が設けてあり、
前記包装袋は、液体を注ぎ出したのちに、胴部を一回以上、順次折りたたむことが可能であって、
折りたたんで重なった胴部は、その折線の角の部分を、前記穴に挿入して固定可能であることを特徴とする、液体用包装袋。
【請求項２】
請求項１に記載の液体用包装袋において、胴部底端部から胴部上端部までの長さ（胴部の高さ）をＴ１、第１回目の折りたたみの幅をＴ２、折りたたみの回数をＮとしたときに、
Ｔ１＝Ｔ２×（Ｎ＋１）＋３〜８ｍｍ×Ｎ
を満たしていることを特徴とする、液体用包装袋。
【請求項３】
前記底部は、前記胴部の下部における胴部前側の積層体と、胴部後ろ側積層体との間に、シーラント層を外側にして折り込んだ底板の積層体を挿入し、底板が拡張可能にシーラント同士でシールしてなることを特徴とする、請求項１または請求項２に記載の液体用包装袋。
【請求項４】
包装袋の胴部前側、また胴部後ろ側には、分岐が設けてあり、
分岐は、胴部における分岐の高さ位置に、胴部の上方向または下方向のいずれにも折り返し可能な折り返し線を有しており、
分岐は、胴部上方から連続する上部胴部積層体と、胴部下方から連続する下部胴部積層体とを重ね、側端部および先端部をシールしてなることを特徴とする、請求項１〜請求項３のいずれかに記載の液体用包装袋。
【請求項５】
前記分岐の先端から、折り返し線までの長さと、折り返し線から胴部底端部までの長さとは、その長さの差が１０ｍｍ以内であることを特徴とする、請求項４に記載の液体用包装袋。
【請求項６】
前記注ぎ出し口は、胴部周縁部の上辺から外側に突き出して設けてあり、折りたたんで固定した胴部に、注ぎ出し口の開口部を挟み込んで固定することが可能であることを特徴とする、請求項１〜請求項５のいずれかに記載の液体用包装袋。
【請求項７】
胴部の折りたたみは、折りたたむための位置が示されて、包装袋外側から可視であることを特徴とする、請求項１〜請求項６のいずれかに記載の液体用包装袋。
【請求項８】
前記折りたたむための位置には、折りたたみを容易に行なうことのできる、折り曲げ誘導加工が施してあることを特徴とする、請求項７に記載の液体用包装袋。
【発明の詳細な説明】
【技術分野】
【０００１】
本発明は包装容器のうち、液体用包装袋に関するものである。特にプラスチックフィルムを基材として、内溶液の注ぎ出しを、容易かつ安定的に行なうことのできる包装袋であって、周縁部をヒートシールするなどして製袋した、注ぎ口を有する液体用包装袋に関するものである。
【背景技術】
【０００２】
従来より、プラスチックフィルムを基材として、シーラント層を有する積層体からなる包装袋は、シーラント層以外がプラスチックフィルム単層で構成される場合のみならず、他のフィルムや樹脂層、金属箔などとの積層体として、内溶液による要求品質に応じた層構成や材料設計が可能であることが特徴のひとつであって、様々な用途に広く用いられている。
【０００３】
特に注ぎ口を有する液体用包装袋は、液体の内溶液を注ぎ出す用途に優れている。たとえば、飲料や食品用途にも広く用いられており、液体のほかペースト状の食品にも好適に用いられている。ほかにも味噌などの調味料に用いられる例もあり、包装材料としての性能面で引けを取ることもなく、あるいはコスト面などでもガラス瓶や缶などに比べて有利な場合が多い。
【０００４】
ほかにもたとえば、食用油、ソース、コーヒー飲料などの飲料、食品に限らず、液体洗剤、柔軟剤等のトイレタリー用品や、エンジンオイルなどの工業製品など、液体やペースト状の内溶液であれば包装袋への充填・収納が容易に可能であり、また用途に応じて保存性などにも優れたものが可能である。
【０００５】
そのほか、最近ではプラスチックやガラスのボトルを使い捨てにすることをやめ、環境保護の観点から、詰め替え用の容器を用いることで廃棄物を削減する動きも見られ、プラスチックフィルムを基材として、シーラント層を有する積層体からなる包装袋に対しては、特にその需要が高まっている。
【０００６】
一般に包装袋は、内溶液の情報を表示して包装袋内部に収納し、外部環境から内溶液を保護し、また保存することができる機能を有するものであり、内溶液を取り出すに当っては、取り出しやすさ、特に流体であれば注ぎ出し易さが重要であって、内溶液やその目的によって形態や材料構成は様々である。
【０００７】
特に注ぎ出し易さについては、包装袋の開封後、開口部から取り出すに際して、注ぎ出しが安定して容易であるのはもちろんのこと、外部にこぼれ出たり、手が汚れたりすることがあっては不都合であり、開口部が安定してその形状を保っていることが望ましい。これは詰め替え用容器においては特に求められることでもある。
【０００８】
さらには、内容液を注ぎだしたのちに、液体用包装容器を廃棄する際には、廃棄物として包装容器が嵩張ることがあり、改善方法が期待されているところである。
【０００９】
あるいは、廃棄に際して、包装袋の底部にたまったり、包装袋の内壁に付着した内容液が、開口部から液垂れする場合もあって、衛生面や取り扱いの点で問題視されている。
【００１０】
これに対応して、特許文献１には、スパウト付きのパウチ容器が提案されており、スパウトによって廃棄に際しての液垂れを防止でき、またパウチを折りたたんでスパウトに係
合して、折りたたんだ状態を維持することができるパウチ容器が提案されているが、スパウトはパウチ容器とは別部材となるために、材料コスト、および製造コストが増大することに加えて、スパウト自身もまた廃棄物となる欠点を有している。
【先行技術文献】
【特許文献】
【００１１】
【特許文献１】特開２０１７−１６５４７０号公報
【発明の概要】
【発明が解決しようとする課題】
【００１２】
本発明はこのような状況に鑑みてなされたものであり、プラスチックフィルムを基材とする液体用包装袋において、内容物の液体の注ぎ出しが容易であって、内容物の液体を注ぎ出したのちには折りたたみ可能で、かつ折りたたんだ状態を別部材を必要とすることなく維持可能な、液体用包装袋を提供することを課題とする。
【課題を解決するための手段】
【００１３】
上記の課題を解決するための手段として、請求項１に記載の発明は、
液体用包装袋であって、
包装袋は、プラスチックフィルムを基材として、少なくともシーラント層を有する積層体からなり、
包装袋は、胴部を形成する前側積層体と後ろ側積層体とを、シーラント層同士を向かい合わせにして周縁部をシールしてなり
前記周縁部の一部には、注ぎ出し口を有しており、
前記注ぎ出し口は、積層体の一部を切り裂いて開口部を形成可能であり、
前記胴部の上辺において、左右の両端部のシール部には、表裏を貫通する穴が設けてあり、
前記包装袋は、液体を注ぎ出したのちに、胴部を一回以上、順次折りたたむことが可能であって、
折りたたんで重なった胴部は、その折線の角の部分を、前記穴に挿入して固定可能であることを特徴とする、液体用包装袋である。
【００１４】
また、請求項２に記載の発明は、
請求項１に記載の液体用包装袋において、胴部底端部から胴部上端部までの長さ（胴部の高さ）をＴ１、第１回目の折りたたみの幅をＴ２、折りたたみの回数をＮとしたときに、
Ｔ１＝Ｔ２×（Ｎ＋１）＋３〜８ｍｍ×Ｎ
を満たしていることを特徴とする、液体用包装袋である。
【００１５】
また、請求項３に記載の発明は、
前記底部は、前記胴部の下部における胴部前側の積層体と、胴部後ろ側積層体との間に、シーラント層を外側にして折り込んだ底板の積層体を挿入し、底板が拡張可能にシーラント同士でシールしてなることを特徴とする、請求項１または請求項２に記載の液体用包装袋である。
【００１６】
また、請求項４に記載の発明は、
包装袋の胴部前側、また胴部後ろ側には、分岐が設けてあり、
分岐は、胴部における分岐の高さ位置に、胴部の上方向または下方向のいずれにも折り返し可能な折り返し線を有しており、
分岐は、胴部上方から連続する上部胴部積層体と、胴部下方から連続する下部胴部積層体とを重ね、側端部および先端部をシールしてなることを特徴とする、請求項１〜請求項
３のいずれかに記載の液体用包装袋である。
【００１７】
また、請求項５に記載の発明は、
前記分岐の先端から、折り返し線までの長さと、折り返し線から胴部底端部までの長さとは、その長さの差が１０ｍｍ以内であることを特徴とする、請求項４に記載の液体用包装袋である。
【００１８】
また、請求項６に記載の発明は、
前記注ぎ出し口は、胴部周縁部の上辺から外側に突き出して設けてあり、折りたたんで固定した胴部に、注ぎ出し口の開口部を挟み込んで固定することが可能であることを特徴とする、請求項１〜請求項５のいずれかに記載の液体用包装袋である。
【００１９】
また、請求項７に記載の発明は、
胴部の折りたたみは、折りたたむための位置が示されて、包装袋外側から可視であることを特徴とする、請求項１〜請求項６のいずれかに記載の液体用包装袋である。
【００２０】
また、請求項８に記載の発明は、
前記折りたたむための位置には、折りたたみを容易に行なうことのできる、折り曲げ誘導加工が施してあることを特徴とする、請求項７に記載の液体用包装袋である。
【発明の効果】
【００２１】
本発明によれば、プラスチックフィルムを基材とする液体用包装袋において、内容物の液体の注ぎ出しが容易であって、内容物の液体を注ぎ出したのちには折りたたみ可能で、かつ折りたたんだ状態を別部材を必要とすることなく維持可能な、液体用包装袋を提供することが可能である。
【００２２】
特に請求項２に記載の発明によれば、胴部底端部から胴部上端部までの長さ（胴部の高さ）をＴ１、第１回目の折りたたみの幅をＴ２、
折りたたみの回数をＮとしたときに、
Ｔ１＝Ｔ２×（Ｎ＋１）＋３〜８ｍｍ×Ｎ
を満たしていることによって、１回以上の順次の折りたたみによる、折線の角の部分を、穴に固定し易い適当な位置とすることができる。
【００２３】
これは第１回目の折りたたみの幅の整数倍に、折りたたみの回数に対し１回当たり３〜８ｍｍのゆとりを加えたものを、包装袋の胴部の高さとするものである。
【００２４】
すなわち、折りたたみの回数に加えて、折りたたみによる胴部の厚さの増加や、折りたたんだ胴部を穴に差所込むためのゆとりを加えて、折りたたみの幅を数値化することによって、折りたたみの最適化を可能とするものである。これによって、折りたたんだ角の部分の、穴への挿入を容易にし、その固定もまた容易にすることが可能である。
【００２５】
また、特に請求項３に記載の発明によれば、
底部は、前記胴部の下部における胴部前側積層体の積層体と胴部後ろ側積層体積層体との間に、シーラント層を外側に折り込んだ底板の積層体を挿入し、底板が拡張可能にシーラント同士でシールしてなることによって、包装袋は自立性を与えられ、また内容量も大きくすることができる。
【００２６】
また、特に請求項４に記載の発明によれば、
包装袋の前記胴部前側積層体には、分岐が設けてあり、分岐は、胴部における分岐の高さ位置での折り返し線において、前胴部の上方向または下方向のいずれにも折り返し可能に
、前胴部上方から連続する上部前胴部積層体と、前胴部下方から連続する下部前胴部積層体とを重ね、側端部および先端部をシールしてなることによって、胴部に分岐を有した包装袋とすることができる。
【００２７】
この分岐によって、この部分を内容物の充填口とすることができる。本発明による包装袋は、胴部の周縁部の一部から包装袋外側に突き出した注ぎ出し口を有しているために、この部分からは内容物の重点は困難であり、分岐の先端部分を充填口として、内容物を充填し、そののちシールして包装袋を密封することができる。
【００２８】
また、内容液の注ぎ出しにおいては、分岐を下方に折り返すことで、安定した流路の確保が可能になる。或いは販売の場面では、分岐を上方に折り返しておくことによって、この部分を商品の表示部分として活用することが可能になる。
【００２９】
また、特に請求項５に記載の発明によれば、
分岐の先端から分岐の高さ位置での折り返し線までの長さと、分岐の高さ位置での折り返し線から胴部底端部までの長さは、その差が１０ｍｍ以内であることによって、分岐と胴部を重ねたまま折りたたんで、折り返し線の角部を穴に入れることが、容易に可能になる。
【００３０】
また、特に請求項６に記載の発明によれば、
注ぎ出し口は、胴部周縁部の上辺から外側に突き出して設けてあり、胴部を折りたたんで、その折線の角の部分を前記穴に挿入した際には、胴部を折りたたんで重なった部分に注ぎ出し口の開口部を差し込んで固定することが可能であることによって、廃棄に際してより小さくたたむことができ、また残った内容液の不用意な漏れ出しもなくすことが可能になる。
【００３１】
また、特に請求項７に記載の発明によれば、
胴部の折りたたみは、折りたたむための位置が示されて、包装袋外側から可視であることによって、折りたたみの作業をより容易かつ正確に行なうことを可能にできるため利便性が高い。
【００３２】
また、特に請求項８に記載の発明によれば
折りたたむための位置には、折りたたみを容易に行なうことのできる、折り曲げ誘導加工が施してあることによって、折りたたみの作業をより容易かつ正確に行なうことを可能にできるためさらに利便性が高い。
【図面の簡単な説明】
【００３３】
【図１】図１は、本発明に係る液体用包装袋の一実施態様を説明するための、液体用包装袋を表側から見た、平面模式図である。
【図２】図２は、本発明に係る液体用包装袋の一実施態様を説明するための、液体用包装袋を後ろ側から見た、平面模式図である。
【図３】図３は、本発明に係る液体用包装袋の一実施態様において、胴部後ろ側積層体に設けた分岐を下方に折り返した状態を説明するための、液体用包装袋を表側から見た、平面（一部斜視）模式図である。
【図４】図４は、本発明に係る液体用包装袋の一実施態様において、内容物の液体を注ぎだす状態を説明するための、斜視模式図である。
【図５】図５は、本発明に係る液体用包装袋の一実施態様において、内容物の液体を注ぎだしたあとの折りたたみの仕組みを説明するための、平面模式図である
【図６】図６は、本発明に係る液体用包装袋の一実施態様において、内容物の液体を注ぎだしたあとの折りたたみの途中の状態を説明するための、斜視模式図である。
【図７】図７は、本発明に係る液体用包装袋の一実施態様において、内容物の液体を注ぎだしたあとの折りたたみの状態を説明するための、斜視模式図である。
【図８】図８は、本発明に係る液体用包装袋の一実施態様において、折りたたみ線表示の例を説明するための平面模式図である。
【発明を実施するための形態】
【００３４】
以下、本発明を図１〜図７を参照しながら、更に詳しい説明を加える。ただし本発明は、ここに示す例にのみ限定されるものではない。本発明は、請求項によって限定されるものである。
【００３５】
図１は、本発明に係る液体用包装袋の一実施態様を説明するための、液体用包装袋を表側から見た、平面模式図である。
【００３６】
本発明は液体用包装袋（１００）であって、この包装袋は、プラスチックフィルムを基材として、少なくともシーラント層を有する積層体からなる。
【００３７】
この液体用包装袋（１００）は、胴部前側積層体（１０）、および胴部後ろ側積層体（２０）の積層体のシーラント層を、向かい合わせにして周縁部をシールして胴部（１）を形成してなる。図１に示す例において、胴部（１）は、左右の側端部シール部（１１）、底部シール部（１２）、上部シール部（１３）をシールされて形成されており、さらに注ぎ出し口シール部（１４）をシールされて密封されている。
【００３８】
また、図１に示す例においては、胴部後ろ側積層体（２０）に分岐（３）が設けられた例が示されており、分岐（３）は分岐シール部（１５）でシールされて密封されている。この分岐（３）については後述する。
【００３９】
注ぎ出し口（８）は、胴部（１）の周縁部の一部に設けられるが、図１に示す例においては、上部シール部（１３）の中央部から、包装袋外側に突き出して設けられている例である。たとえば、この注ぎ出し口（８）から、内容物をプラスチックボトルなどの容器に注ぎ出して、この包装袋を詰め替え用の容器とすることができる。
【００４０】
注ぎ出し口（８）は、その一部を切り裂いて注ぎ出しのための開口部を形成可能であり、たとえば開封予定線（９）に沿って、手指を用いて、あるいは鋏やナイフなどの刃物を用いて積層体を切り裂くことが可能である。
【００４１】
また、胴部（１）の上辺において、上辺左右両端部のシール部（１７）には、表裏を貫通する穴（１６）が設けてある。
【００４２】
本発明において、内容物の注ぎ出しが終了して、たとえば廃棄する場合には、この液体用包装袋（１００）の胴部（１０）を１回以上、順次折りたたみ、小さくして固定することが可能である。
【００４３】
この折りたたみは、第1回目の折りたたみ線（３１）によって折りたたむことができ、このときの折り幅はＴ２であって、以降順次折りたたんで行なう。
【００４４】
表裏を貫通する穴（１６）は、順次折りたたんで重なった胴部（１）の折線の最後の角の部分を、穴（１６）に挿入して固定することができる。
【００４５】
また本発明による液体用包装袋において、胴部の下端から上端までの長さ（胴部の高さ）をＴ１、第１回目の折りたたみの幅をＴ２、折りたたみの回数をＮとしたときに、
Ｔ１＝Ｔ２×（Ｎ＋１）＋３〜８ｍｍ×Ｎ
とすることができる。
【００４６】
これによって胴部の折りたたみは、Ｎ回の折りたたみによって、折線の最後の角の部分の、穴（１６）への挿入、固定を、より安定かつ容易に行なうことができ、より利便性が高まる。
【００４７】
すなわち、折りたたみの幅は、胴部の積層体が厚みを持つために、折りたたみ回数が増えれば、それに伴って３ｍｍ〜８ｍｍ増大する。それを勘案してその幅のゆりを持たせることによって、折線の最後の角の部分の、穴（１６）への挿入、固定をより安定かつ容易なものとすることができるのである。
【００４８】
このように、本発明によれば、プラスチックフィルムを基材とする液体用包装袋（１００）において、内容物の液体の注ぎ出しが容易であって、内容物の液体を注ぎ出したのちには折りたたみ可能で、かつ折りたたんだ状態を別部材を必要とすることなく維持可能な、液体用包装袋を提供することが可能である。
【００４９】
図２は、本発明に係る液体用包装袋の一実施態様を説明するための、液体用包装袋を後ろ側から見た、平面模式図である。
【００５０】
図２に示す例は、胴部後ろ側積層体に分岐を設けた例である。本発明においては、包装袋の胴部前側積層体（１０）、または胴部後ろ側積層体（２０）のいずれかに、分岐（３）を設けることができる。
【００５１】
分岐（３）は、胴部（１）における分岐の高さ位置に、胴部（１）の上方向または下方向のいずれにも折り返し可能な、折り返し線（６）を有して設けられており、分岐（３）は、胴部上方から連続する上側胴部積層体と、胴部下方から連続する下側胴部積層体とを重ね、側端部および先端部を分岐シール部（１５）としてシールして形成される。
【００５２】
図２に示す例においては、分岐（３）は包装袋の上方に向けて折り返されている状態である。分岐（３）が上方に向けて折り返してある場合には、この部分に内容物に関する情報表示などを行なうことができる。
【００５３】
また、分岐（３）を設けることによって、内容物の液体の注ぎ出しにおいて、分岐（３）を胴部（１）下方に折り返して、内容物の液体の流路を安定して確保することができる。
【００５４】
また、分岐の先端（１８）から、折り返し線（６）までの長さＬ１と、折り返し線（６）から胴部下端（５）までの長さＬ２とは、その長さの差が１０ｍｍ以内とすることができ、この場合には胴部（１）の折りたたみにおいて、両者を重ねて一緒に折りたたむことができるため、利便性が高い。
【００５５】
図３は、本発明に係る液体用包装袋の一実施態様において、胴部後ろ側積層体に設けた分岐を下方に折り返した状態を説明するための、液体用包装袋を表側から見た、平面（一部斜視）模式図である。
【００５６】
前述のように、分岐（３）を設けることによって、内容物の液体の注ぎ出しにおいて、分岐（３）を胴部（１）下方に折り返して、内容物の液体の流路を安定して確保することができる。
【００５７】
注ぎ出し口（８）は、胴部（１）の周縁部の一部に設けられるが、図３に示す例においては、注ぎ口は上辺中央から包装袋外側に突き出して設けてあり、分岐を胴部下方に折り返すことによって注ぎ出しのための、注ぎ口の流路の確保、維持をより安定して行なうことが可能である。
【００５８】
注ぎ出し口（８）は、一部を切り裂いて注ぎ出しのための開口部を形成可能であり、たとえば開封予定線（９）に沿って、手指を用いて、あるいは鋏やナイフなどの刃物を用いて積層体を切り裂くことが可能である。
【００５９】
あるいは、開封予定線（９）に沿って、易開封機構を設けることによって、手指での切り裂き、開封をより容易に行うことができる。易開封機構は、たとえば積層体に対するハーフカット等によって形成することができる。
【００６０】
底部（２）は、胴部（１）の下部における胴部前側積層体（１０）と、胴部後ろ側積層体（２０）との間に、シーラント層を外側にして折線（１９）で折り込んだ底板（７）の積層体を挿入し、底板（７）が拡張可能にシーラント同士でシールして密封することができる。
【００６１】
これによって、内容物の液体を充填した液体用包装袋（１００）は、その胴部（１）を、包装袋が軟質のプラスチックフィルムを用いた構成であるにもかかわらず、自立可能なものとすることができる。
【００６２】
図４は、本発明に係る液体用包装袋の一実施態様において、内容物の液体を注ぎだす状態を説明するための、斜視模式図である。
【００６３】
注ぎ出し口（８）を、開封予定線（９）に沿って切り裂いて、開口部（２８）を設けた包装袋は、開口部（２８）を下方に向けて傾け、内容液（２７）を注ぎ出すことができる。
【００６４】
このとき分岐（３）を、包装袋の胴部（１）の下方に向けて矢印（２６）方向に折り返し、分岐（３）の上から手で掴んで持つことによって、内容物の液体の流路（２５）をより安定して形成、維持することが可能である。
【００６５】
このような効果によって、本発明による液体用包装袋（１００）を、たとえばボトル容器等への詰め替え用容器とすることは可能であり、好ましい。
【００６６】
図５は、本発明に係る液体用包装袋の一実施態様において、内容液の液体を注ぎだしたあとの折りたたみの仕組みを説明するための、平面模式図である
図５に示す状態は、内容物の液体の注ぎ出しが終わった状態であって、注ぎ出し口（８）は、先端部で切り取られた状態である。また胴部（１）は内容物の液体が注ぎだされて空になり、平らに潰された状態となっている。
【００６７】
本発明による液体用包装袋（１００）において、胴部底端部（５）から胴部上端部（４）までの長さ（胴部の高さ）をＴ１、第１回目の折りたたみの幅をＴ２、折りたたみの回数をＮとしたときに、
Ｔ１＝Ｔ２×（Ｎ＋１）＋３〜８ｍｍ×Ｎ
とすることができる。
【００６８】
この場合には胴部（１）の折りたたみ、あるいは胴部（１）と分岐（３）と重ねての折りたたみの部分の、穴（１６）への挿入、固定はより容易になる。
【００６９】
図５に示す例において、折りたたみ回数Ｎは、
Ｎ＝３
である。
【００７０】
折りたたみはまず、第１回目の折りたたみ線（３１）を谷折りして行なう。このとき第１回目の折りたたみの幅はＴ２である。
【００７１】
続いて第２回目の折りたたみ線（３２）を谷折りして行なう。このとき２回目の折りたたみの幅はＴ３であって、
Ｔ３＝Ｔ２＋３〜８ｍｍである。
この３〜８ｍｍのゆとりがあるために、胴部の折りたたみあるいは分岐と重ねての折りたたみに際して、厚みの増大を吸収することができ、折りたたみに困難を生じることがない。
【００７２】
さらに３回目の折りたたみ線（３３）を谷折して折りたたみを行なう。このとき３回目の折りたたみの幅はＴ４であって、
Ｔ４＝Ｔ２＋３〜８ｍｍである。
この場合も同様に、この３〜８ｍｍのゆとりがあるために、胴部の折りたたみあるいは分岐と重ねての折りたたみに際して、厚みの増大を吸収することができ、折りたたみに困難を生じることがない。
【００７３】
図５に示す例において、折りたたみは、この３回目の折りたたみで終了する。これは前述の、
Ｔ１＝Ｔ２×（Ｎ＋１）＋３〜８ｍｍ×Ｎ
において、Ｎ＝３の例である。
【００７４】
第３回目の折りたたみのあと、第２回目の折りたたみ線（３２）の稜線の両端部の、角の部分を穴（１６）に挿入することによって、胴部（１）は折りたたんだ状態で固定される。このとき胴部（１）には、分岐（３）が重ねられて折りたたまれるのでもよい。この状態は図６を用いて説明を続ける。
【００７５】
図６は、本発明に係る液体用包装袋の一実施態様において、内容物の液体を注ぎだしたあとの折りたたみの途中の状態を説明するための、斜視模式図である。
【００７６】
この状態において、第２回目の折りたたみ線（３２）の稜線（３４）の両端部は角の部分（３０）となっており、この角の部分（３０）を、胴部（１）の上辺において、左右の両端部のシール部（１７）に設けてある表裏を貫通する穴（１６）に挿入して、折りたたんだ胴部（１）、もしくは重ねて折りたたんだ胴部（１）と分岐（３）とを、固定することができる。
【００７７】
この穴（１６）は、図１〜図５に示すような、三角形状に積層体を貫通して抜いたものであっても良く、三角形状の斜辺（２９）の形状の、積層体を貫通したスリットであってもよい。
【００７８】
図７は、本発明に係る液体用包装袋の一実施態様において、内容物の液体を注ぎだしたあとの折りたたみの状態を説明するための、斜視模式図である。
【００７９】
このようにして、折りたたみ線（３２）の稜線（３４）の、両端部の角の部分（３０）の穴（１６）への挿入によって、胴部（１）と分岐（３）は折りたたまれて固定される。
このとき折りたたみ線（３３）の稜線（３５）は折りたたまれた包装袋の外側となる。
【００８０】
胴部（１）が折りたたまれて固定された結果、胴部上端部（４）から、稜線（３５）の長さは、Ｔ５となり、当初の液体用包装袋（１００）の胴部（１）の長さＴ１に比べて、小さくなっている。
【００８１】
ここでも、
Ｔ１＝Ｔ２×（Ｎ＋１）＋３〜８ｍｍ×Ｎ
であって、
Ｔ５は、胴部上端部（４）から、第３回目の折りたたみ線（３３）までの長さであるから、Ｎ＝２までの部分をＴ１から引き去ったものである。
【００８２】
すなわち、
Ｔ５＝Ｔ１−（Ｔ２×３＋３〜８ｍｍ×２）であり、
Ｔ５＝Ｔ２＋３〜８ｍｍ
である。
【００８３】
したがって、図７に示す例においては、当初の液体用包装袋（１００）の胴部（１）の長さＴ１に比べて、Ｔ５は４分の１強の長さになっていることをあらわしている。
【００８４】
また、図７に示す例において、注ぎ出し口（８）は胴部周縁部の上辺の中央部から、包装袋外側に向けて突き出して設けてあり、折りたたんで固定した胴部（１）に、注ぎ出し口（８）の開口部（２８）を、図７中の矢印（２４）の方向に挟み込んで、注ぎ出し口（８）を固定することが可能である。
【００８５】
これによって、液体用包装袋（１００）の内部に残留した内容液の、開口部（２８）からの漏れ出しを防止することができる。
【００８６】
図８は、本発明に係る液体用包装袋の一実施態様において、折りたたみ線表示の例を説明するための平面模式図である。
【００８７】
本発明による液体用包装袋（１００）において、胴部（１）の折りたたみは、折りたたむための位置が示されて、包装袋外側から可視とすることができる。たとえば、図８に示す例のように、折りたたみ位置表示（３６）、（３７）、（３８）を、包装袋外側から可視であるように設けることができる。
【００８８】
折りたたみ線の可視化は、線で表示する場合のほか、胴部（１）の両側端部にスポットで表示するのでも良く、容易に識別できる限りにおいて、形状は任意である。また表示の手段はたとえば、積層体の外側から可視である層への印刷を用いて、表示することも可能である。
【００８９】
これによって、内容物の液体を注ぎ出したあとに、胴部（１）、もしくは胴部（１）と分岐（３）を重ねて折りたたむ際には、どの部分で折りたためば、より固定し易いかが分かり、利便性が高い。
【００９０】
あるいは、折りたたみ線の位置に、折りたたみをより容易に行なうことのできる、折り曲げ誘導加工を施しておくことも可能である。たとえば、図８で示す折りたたみ位置表示（３６）、（３７）、（３８）の位置に、折り曲げ誘導加工（３９）、（４０）、（４１）として、設けることができる。
【００９１】
これにより、折りたたみの作業は、さらに容易かつ正確に行なうことができ、利便性が高い。また、折り曲げ加工は、その形成の手段に特段の限定を加えるものではないが、たとえば胴部（１）の積層体に対して、折りたたみ線に沿った罫線加工や、折線としてエンボス加工を施すなどしてもよい。
【００９２】
また本発明は、プラスチックフィルムを基材としてシーラント層を有する積層体からなる液体用包装袋（１００）である。積層体の層構成やその材料構成、厚さなどは、包装袋に対する要求品質に応じて適宜設計することができる。またプラスチックフィルムは、接着剤層を介して他の層と積層して積層体とすることができる。
【００９３】
プラスチックフィルムは、高分子樹脂組成物からなるフィルムであって、たとえばポリオレフィン（ポリエチレン、ポリプロピレン等）、ポリエステル（ポリエチレンテレフタレート、ポリブチレンテレフタレート、ポリエチレンナフタレート等）、ポリアミド（ナイロン−６、ナイロン−６６等）、ポリイミドなどが使用でき、用途に応じて適宜選択される。
【００９４】
特にポリプロピレン、ポリエチレンテレフタレートをプラスチックフィルムとする場合は、フィルム強度と価格においてより好ましい。そのほか延伸ポリアミドフィルムを用いる場合には、積層体に突き刺しに対する強靭性や、衝撃に対する強靭性を付与することができる。
【００９５】
また、たとえば内容物の保存性を向上させることなどを目的として、包装袋を構成する積層体中に、着色フィルムなど紫外線を遮蔽する不透明層を設けることができる。あるいは、積層体中にガスバリア層を設けることができる。たとえば、プラスチックフィルムの表面にガスバリア層を設けてなるガスバリアフィルムを用いることができる。
【００９６】
またアルミニウムなどの金属箔もガスバリア層として有効ではあるが、電子レンジでの調理には、高周波によるスパークなどが発生するために注意を要する。
【００９７】
ガスバリアフィルムの場合には、用いられるプラスチックフィルムは、高分子樹脂組成物からなるフィルムであって、たとえばポリオレフィン（ポリエチレン、ポリプロピレン等）、ポリエステル（ポリエチレンテレフタレート、ポリブチレンテレフタレート、ポリエチレンナフタレート等）、ポリアミド（ナイロン−６、ナイロン−６６等）、ポリイミドなどが使用でき、用途に応じて適宜選択される。特にポリプロピレン、ポリエチレンテレフタレートをプラスチックフィルム基材とする場合は、フィルム強度と価格においてより好ましい。
【００９８】
ガスバリアフィルムの場合、ガスバリア層は無機化合物の蒸着層、コーティング層で構成することができ、プラスチックフィルムにアンカーコートを設けた後、蒸着層、コーティング層を順次設ける。
【００９９】
蒸着層を形成する方法としては，ＳｉＯやＡｌＯなどの無機化合物を真空蒸着法を用いて、アンカーコート層を設けたプラスチックフィルム上にコーティングし、真空蒸着法による無機化合物層を形成することができる。
【０１００】
コーティング層を形成する方法としては、水溶性高分子と、（ａ）一種以上のアルコキシドまたはその加水分解物、または両者、あるいは（ｂ）塩化錫の、少なくともいずれかひとつを含む水溶液あるいは水／アルコール混合水溶液を主剤とするコーティング剤をフィルム上に塗布し、加熱乾燥してコーティング法による無機化合物層を形成しコーティング層とすることができる。
【０１０１】
無機化合物層は真空蒸着法による塗膜のみでもガスバリア性を有するが、コーティング法による無機化合物層であるコーティング層を真空蒸着法による無機化合物層である蒸着層に重ねて形成し、ガスバリア層とすることができる。
【０１０２】
またガスバリア層として、たとえばＳｉＯを用いる場合にはその被膜は透明であるために、内容物を包装袋の外側から目で見ることが可能である。これらは、用途、要求品質によって適宜使い分けをすればよい。
【０１０３】
シーラント層は、２枚の積層体をシーラント層同士が対向するように重ねて、加熱、加圧してヒートシールすることによって互いを接着させ、包装袋に製袋することを可能にする。
【０１０４】
シーラント層の材質としては、熱可塑性樹脂のうちポリオレフィン系樹脂が一般的に使用され、具体的には、低密度ポリエチレン樹脂（ＬＤＰＥ）、中密度ポリエチレン樹脂（ＭＤＰＥ）、直鎖状低密度ポリエチレン樹脂（ＬＬＤＰＥ）、エチレン−酢酸ビニル共重合体（ＥＶＡ）、エチレン−αオレフィン共重合体、エチレン−メタアクリル酸樹脂共重合体などのエチレン系樹脂や、ポリエチレンとポリブテンのブレンド樹脂や、ホモポリプロピレン樹脂（ＰＰ）、プロピレン−エチレンランダム共重合体、プロピレン−エチレンブロック共重合体、プロピレン−αオレフィン共重合体などのポリプロピレン系樹脂等を使用することができる。
【０１０５】
シーラント層の形成には、押出機などを用いて溶融した樹脂を製膜して、積層体上に層形成することができる。あるいは、あらかじめフィルムの状態に製膜してある材料を、ラミネートによって積層することによって、積層体の表面にシーラント層を形成することも可能である。
【０１０６】
必要に応じて、商品としてのイメージアップや、内容物についての必要な情報表示や意匠性の向上を目的として、プラスチックフィルムを基材とする積層体中の、包装袋外側から見える層に印刷層を設けることができる。印刷層は包装袋の最外層に設けるのでも構わない。
【０１０７】
また印刷層は、包装袋の一部に設けるのでもよく、また包装袋の全面に渡って設けるのでもよい。あるいは、印刷層を用いずに表示部を設ける方法としては、たとえば包装袋の表面に印刷されたシールを貼着することも可能である。
【０１０８】
ここで、印刷方法、および印刷インキには、とくに制約を設けるものではないが、既知の印刷方法の中からプラスチックフィルムへの印刷適性、色調などの意匠性、密着性、食品容器としての安全性などを考慮すれば適宜選択してよい。
【０１０９】
たとえば、グラビア印刷法、オフセット印刷法、グラビアオフセット印刷法、フレキソ印刷法、シルクスクリーン印刷法、インクジェット印刷法などの既知の印刷方法から選択して用いることができる。中でもグラビア印刷法は、生産性、プラスチックフィルムへの印刷適性、および絵柄の高精細度において好ましく用いることができる。
【０１１０】
このように発明によれば、プラスチックフィルムを基材とする液体用包装袋において、内容物の液体の注ぎ出しが容易であって、内容物の液体を注ぎ出したのちには折りたたみ可能で、かつ折りたたんだ状態を別部材を必要とすることなく維持可能な、液体用包装袋を提供することが可能である。
【符号の説明】
【０１１１】
１・・・胴部
２・・・底部
３・・・分岐
４・・・胴部上端部
５・・・胴部底端部
６・・・折り返し線
７・・・底板
８・・・注ぎ出し口
９・・・開封予定線
１０・・・胴部前側積層体
１１・・・左右の側端部シール部
１２・・・底部シール部
１３・・・上部シール部
１４・・・注ぎ出し口シール部
１５・・・分岐シール部
１６・・・穴
１７・・・上辺左右両端部のシール部
１８・・・分岐の先端
１９・・・底板の折り返し線
２０・・・胴部後ろ側積層体
２４・・・矢印
２５・・・流路
２６・・・矢印
２７・・・内容液
２８・・・開口部
２９・・・斜辺
３０・・・角の部分
３１・・・第1回目の折りたたみ線
３２・・・第２回目の折りたたみ線
３３・・・第３回目の折りたたみ線
３４・・・稜線
３５・・・稜線
３６・・・折りたたみ位置表示
３７・・・折りたたみ位置表示
３８・・・折りたたみ位置表示
３９・・・折り曲げ誘導加工
４０・・・折り曲げ誘導加工
４１・・・折り曲げ誘導加工
１００・・・液体用包装袋
【図１】
2020128249.tif 000003
【図２】
2020128249.tif 000004
【図３】
2020128249.tif 000005
【図４】
2020128249.tif 000006
【図５】
2020128249.tif 000007
【図６】
2020128249.tif 000008
【図７】
2020128249.tif 000009
【図８】
2020128249.tif 000010